(57)【要約】【課題】人体のバランス感覚を含む種々の機能性の改善を図ることができる還元力に富む天然岩塩粉状体を含有させてなる機能性改質具の提供。【解決手段】、シリコーンゴム１０ｇに対し酸化還元電位がマイナス値を示して高い還元力を有するヒマラヤ岩塩の粉状体を０．１５〜２．５ｇ練り込ませた成型加工体１２とすることで、人体のバランス感覚を含む多岐に亘る機能性の改善・改質を図ることができる。この場合、粉状体は、粒径が０．５ｍｍ〜０．０７４ｍｍの微細粒とするのが好ましい。さらに、成型加工体１２は、機能性改質効果をグレード別に示すグレード表示部１５をその表面に備えているのが望ましい。また、成型加工体は、腕等に装着するバンド体１３としてのほか、携帯用カード体や貼着体や線状体としても形成することができる。【選択図】図１
2016073628.tif 000002
【特許請求の範囲】
【請求項１】
シリコーンゴム１０ｇに対し酸化還元電位がマイナス値を示して高い還元力を有するヒマラヤ岩塩の粉状体を０．１５〜２．５ｇ練り込ませた成型加工体としたことを特徴とする機能性改質具。
【請求項２】
前記粉状体は、粒径が０．５ｍｍ〜０．０７４ｍｍの微細粒である請求項１に記載の機能性改質具。
【請求項３】
前記成型加工体は、機能性改質効果をグレード別に示すグレード表示部をその表面に備える請求項１または２に記載の機能性改質具。
【請求項４】
前記成型加工体は、腕の適宜の部位または足首への装着が自在なバンド体である請求項１ないし３のいずれかに記載の機能性改質具。
【請求項５】
前記バンド体は、その周方向を長さ方向として前記グレード表示部を間に挟む左右の領域に各別に設けられた一対の切欠き溝を備える請求項４に記載の機能性改質具。
【請求項６】
前記成型加工体は、持ち運びが自在な携帯用カード体である請求項１ないし３のいずれかに記載の機能性改質具。
【請求項７】
前記成型加工体は、改質対象の適宜部位に貼り付ける貼着体であるである請求項１ないし３のいずれかに記載の機能性改質具。
【請求項８】
前記成型加工体は、外径２〜５ｍｍの線状体である請求項１ないし３のいずれかに記載の機能性改質具。
【請求項９】
前記成型加工体には、専用読み取り機による読み取りが可能な必要データを保持させてなるマイクロチップを具備させた請求項１ないし７のいずれかに記載の機能性改質具。
【発明の詳細な説明】
【技術分野】
【０００１】
本発明は、人体の諸機能やガソリンなどの流体や電流等の効率を改質対象とし、該改質対象の機能を効果的に改質することができる還元力に富む天然岩塩粉状体を含有させてなる機能性改質具に関する技術である。
【背景技術】
【０００２】
通常、天然岩塩は、一般の塩とは異なり還元力（抗酸化作用）を有していることから、これを適量摂取した際に体内のフリーラジカル（活性酸素）に電子を与えて生体の分子から電子が奪われるのを防止することにより、老化や疾病を防ぐ効果が期待できるとされている。
【０００３】
このため、健康食品のなかには、特許文献１に開示されているように、天日塩のような海の塩や精製塩を混合させることなく、原料としてチベット産天然岩塩のみを用い、これを粉砕加工して水道水中に混入して該水道水中の塩化化合物を電子分解により中和するようにしたアルカリ性健康食品として既に提案されているものもある。
【０００４】
また、特定の天然岩塩を用いた他の健康食品としては、梅にフリーラジカル（活性酸素）捕捉能を有する成分を含む有効成分が含まれていることから、その抽出媒体として還元力のあるヒマラヤ岩塩を用いて得られる抽出エキス中に両者に含まれるフリーラジカル（活性酸素）捕捉や健康増進に資する有効成分を効率的に抽出移行させてなる健康増進食品としての梅エキスも特許文献２に示すように既に提案されている。
【先行技術文献】
【特許文献】
【０００５】
【特許文献１】特開２００３−１９９５４０号公報
【特許文献１】特開２００７−２７４９４５号公報
【０００６】
この場合、特許文献１，２の開示技術を含む健康食品にあっては、生体内への摂取行為を前提とするものであることから、環境ホルモンやその他の有害物質の含まれていないより安全性の高いものであることが最優先されることになる。
【発明の概要】
【発明が解決しようとする課題】
【０００７】
一方、現代社会は、高齢化が早いテンポで進んで高齢者が急増している。このような増加傾向にある高齢者については、脚力やバランス能力を含む身体的諸機能が低下することにより転びやすくなることが避けられず、その結果、躓いて転倒し、怪我したり骨折したりする事例も多発するに至っている。
【０００８】
そして、このように骨折したり怪我をした高齢者は、介護が必要な寝たきり状態になったり、認知症の進行につながりがちとなってその健康状態に重大な影響を及ぼすことから、特許文献１，２の開示技術を含む健康食品の摂取とは異なる身体的諸機能の改善を図り得る技術の開発が求められるようになってきている。
【０００９】
このような背景もあって、本発明者は、老化や疾病を防ぐ効果が期待できるものとして、一般の塩とは異なり還元力（抗酸化作用）を有している素材として天然岩塩に着目するなかで、該天然岩塩を適量摂取した際に体内のフリーラジカル（活性酸素）に電子を与えて生体の分子から電子が奪われるのを防止できることを知った。
【００１０】
そこで、本発明者は、還元力に富む天然岩塩、特に「紅塩」と称せられる鉄分を多く含むヒマラヤ岩塩がとりわけ大きい還元力（抗酸化作用）を有しているばかりでなく、細胞の活性化を促進して自己治癒力を高めるとされるマイナスイオンをも放出するものであることにヒントを得、生体内への摂取行為を前提とする健康食品としてではなく、人体に装着して身体的諸機能を改善することができる機能性改質具の開発に長年努めてきた。
【００１１】
すなわち、ヒマラヤ岩塩（紅塩）は、酸化還元電位（ＯＲＰ）がマイナス値を示してとりわけ還元力の強いものであることに注目し、これを粉末状にして所持した際に身体に及ぼす影響について試行錯誤を重ねながら長年にわたり模索してきた。
【００１２】
その結果、ヒマラヤ岩塩（紅塩）には、これを粉末状にして所持すれば身体のバランス感覚を含む身体的諸機能の改善を図ることができるだけでなく、血液、水、ガソリン、空気を含む種々の流体や電流等の特有の機能に対してもこれを改質する作用があることを見出した。
【００１３】
その結果、本発明者は、特許文献１，２を含む健康食品に関する従来技術のように人体への摂取行為を経ることなく、ヒマラヤ岩塩（紅塩）が備えるパワーを引き出せるように工夫した器具を人体や種々の流体を含む改質対象に対し単に取り付けるだけで、例えば身体のバランス感覚や血行の改善を含む各種機能性の改善を図ることができるのではないかとの着想を得て本発明を開発するに至ったものである。
【００１４】
本発明は、上記各特許文献を含む従来技術にみられた上記課題に鑑み、人体を含む機能性改質対象に対し単に取り付けるだけで、例えば身体のバランス感覚やその他の種々の機能性を改質できる還元力に富む天然岩塩粉状体を含有させてなる機能性改質具を提供することをその目的とする。
【課題を解決するための手段】
【００１５】
本発明は、上記目的を達成すべくなされたものであり、シリコーンゴム１０ｇに対し酸化還元電位がマイナス値を示して高い還元力を有するヒマラヤ岩塩の粉状体を０．１５〜２．５ｇ練り込ませた成型加工体としたことを最も主要な特徴とする。この場合、前記粉状体は、粒径が０．５ｍｍ〜０．０７４ｍｍの微細粒とするのが好ましい。さらに、前記成型加工体は、機能性改質効果をグレード別に示すグレード表示部をその表面に備えているのが望ましい。
【００１６】
また、前記成型加工体は、手首を含む腕の適宜の部位または足首への装着が自在なバンド体として形成することができる。この場合、前記バンド体には、その周方向を長さ方向として前記グレード表示部を間に挟む左右の領域に各別に設けられた一対の切欠き溝を具備させておくこともできる。
【００１７】
さらに、前記成型加工体は、持ち運びが自在な携帯用カード体として形成したり、改質対象の適宜部位に貼り付ける貼着体としたり、外径２〜７ｍｍの線状体として形成することもできる。
【００１８】
また、前記細紐体以外の前記成型加工体には、専用読み取り機による読み取りが可能な必要データを保持させてなるマイクロチップを具備させておくこともできる。
【発明の効果】
【００１９】
請求項１の発明によれば、成型加工体は、シリコーンゴム１０ｇに対し酸化還元電位がマイナス値を示して高い還元力を有するヒマラヤ岩塩（紅塩）の粉状体を０．１５〜２．５ｇ練り込ませて形成されているので、人体のバランス感覚や人体以外の種々の流体に対して該粉状体が発揮する機能性改質性能を安定的に発揮させることができ、さらには、耐久性に優れ、かつ、安全に使用することもできる。
【００２０】
請求項２の発明によれば、粉状体は、粒径が０．５ｍｍ〜０．０７４ｍｍの微細粒となっているので、微細化の程度を高めれば高めるほど表面積を大きく確保することができことから、機能性改質の性能もそれだけ向上させることができる。
【００２１】
請求項３の発明によれば、成型加工体は、その表面に機能性改質効果をグレード別に示すグレード表示部を備えているので、使用を希望する機能性改質効果の程度を事前に選別することができる。
【００２２】
請求項４の発明によれば、成型加工体は、手首を含む腕の適宜の部位または足首への装着が自在なバンド体として形成されているので、簡単に装着・使用することができる。
【００２３】
請求項５の発明によれば、バンド体は、その周方向を長さ方向としてグレード表示部を間に挟む左右の領域に各別に設けられた一対の切欠き溝を備えているので、デザイン的な効果のみならず、手首等に装着する際により円滑に引き伸ばして拡径したり、装着時の蒸れを緩和する外気接触領域として機能させることもできる。
【００２４】
請求項６の発明によれば、成型加工体は、持ち運びが自在な携帯用カード体として形成されているので、着衣のポケットに入れたり手で握ったりして簡単に持ち運ぶことができる。
【００２５】
請求項７の発明によれば、成型加工体は、改質対象の適宜部位に貼り付ける貼着体として形成されているので、人体以外の改質対象の適宜部位に貼り付けるだけで、機能性改質性能を発揮させながら直ちに使用することができる。
【００２６】
請求項８の発明によれば、成型加工体は、外径２〜７ｍｍの線状体として形成されているので、外径２〜４ｍｍ程度であればシリコーンチューブで形成されている中空ネックレス部材に挿入してネックレスとしたり、外径５〜７ｍｍ程度であればそれ自体をネックレスとすることで、これを首回りに装着した際に得られる優れたバランス感覚のもとで各種のスポーツに興じることができる。
【００２７】
請求項９の発明によれば、専用読み取り機による読み取りが可能なデータを保持させてなるマイクロチップを成型加工体に具備させてあるので、例えば認知症の人や徘徊老人が道に迷ったとしても、装着させてある成型加工体のマイクロチップから専用読み取り機で必要データ、例えば住所等の本人属性データを読み取ることで直ちに本人の住所等を特定することができる。
【図面の簡単な説明】
【００２８】
【図１】本発明の第１の例を示す全体斜視図。
【図２】本発明の第１の例の変形例を示す全体斜視図。
【図３】本発明の第２の例を示す全体斜視図。
【図４】本発明の第３の例を示す全体斜視図。
【図５】本発明の第４の例を示す部分斜視図。
【図６】本発明が奏する作用効果の体感状況の一例を示す説明図。
【図７】本発明が奏する作用効果の体感状況の他例を示す説明図。
【図８】本発明の効果を確認するための第１比較実験結果を示すグラフ図。
【図９】本発明の効果を確認するための第２比較実験結果を示すグラフ図。
【図１０】本発明品を装着しないで歩行した際のデータ解析例を示すグラフ図であり、そのうちの（ａ）は上下動の軌跡を、（ｂ）は上方から見下ろした軌跡を、（ｃ）は後方から見た軌跡をそれぞれ示す。
【図１１】本発明品に似せたダミー品を装着して歩行した際のデータ解析例を示すグラフ図であり、そのうちの（ａ）は上下動の軌跡を、（ｂ）は上方から見下ろした軌跡を、（ｃ）は後方から見た軌跡をそれぞれ示す。
【図１２】本発明品を装着して歩行した際のデータ解析例を示すグラフ図であり、そのうちの（ａ）は上下動の軌跡を、（ｂ）は上方から見下ろした軌跡を、（ｃ）は後方から見た軌跡をそれぞれ示す。本発明が奏する作用効果の体感状況の他例を示す説明図。
【発明を実施するための形態】
【００２９】
本発明は、シリコーンゴム１０ｇに対し酸化還元電位がマイナス値を示して高い還元力を有するヒマラヤ岩塩（紅塩）の粉粒体を０．１５〜２．５ｇ練り込んで成型加工体としたことを特徴とするものである。ここで、ヒマラヤ岩塩（紅塩）の粉粒体を０．１５ｇ以上としたのは、０．１５ｇ未満であると有意的な効果が得られないためであり、また、２．５ｇ以下としたのは、これを超えるとシリコーンゴムの弾性を劣化させてしまうことによる。
【００３０】
この場合におけるヒマラヤ岩塩（紅塩）の粉粒体は、機能性改質の性能を向上させる観点から表面積ができるだけ大きくなるように、その粒径を０．５ｍｍ（５０メッシュ）〜０．０７４ｍｍ（２００メッシュ）程度とした微粉状にして用いるのが望ましい。
【００３１】
因みに、表１は、本発明で用いられるヒマラヤ岩塩（紅塩）を検体として東京都渋谷区元代々木町５２番１号所在の一般財団法人日本食品分析センターに依頼して行われた分析試験の結果データである。
【００３２】
【表１】
2016073628.tif 000003
【００３３】
また、表２は、宮崎県西諸県野尻町三ヶ野山４２４９番地所在の株式会社活亜興に依頼して作成された上記ヒマラヤ岩塩（紅塩）の品質規格書の記載内容である。
【００３４】
【表２】
2016073628.tif 000004
【００３５】
さらに、表３は、群馬県前橋市今井町５１４−７所在の株式会社アレルギー食品検査センターに依頼して行った上記ヒマラヤ岩塩（紅塩）を検体とする検査データである。測定は、シングルチャンネルアナライザー：Ｌｕｄｌｕｍ社製Ｍｏｄｅ１２２００およびＮａｌシンチレーション検出器：Ｍｏｄｅ１４４−１１を用いて行われている。
【００３６】
【表３】
2016073628.tif 000005
【００３７】
一方、図１〜４として例示する成型加工体１１は、いずれも以下の処理工程を経て製造される。すなわち、粘土状のシリコーン原料１０ｇに対しヒマラヤ岩塩（紅塩）の粉粒体０．１５〜２．５ｇを入れた上で、２５℃前後の常温雰囲気のもとで専用のローラー練り装置を用いて粘土を捏ねるように練ってシート状基材とする。
【００３８】
そして、得られたシート状基材は、適宜の裁断機を用いて裁断することにより複数本の短冊状カット片とされ、しかる後に金型の個数取り、例えば１０個取りであればこれに対応させた分の短冊状カット片を金型に入れる。
【００３９】
前記金型内では、短冊状カット片から例えば１０個取りできるようにして１次加硫成型処理が行われる。該１次加硫成型処理を経た後は、金型から所定形状を備えた例えば１０個の未完成品として取り出され、バリ取り等の仕上げ処理を行った後、拡大鏡を使用しての仕上がり状況の目視検査が行われる。
【００４０】
検査で合格した未完成品は、例えば約２００℃のオーブンに約２時間入れるなどして２次加硫処理を行った後、完成品として取り出すことで成型加工体として製品化される。
【００４１】
図１は、上記処理工程を経て形成された成型加工体１２が手首に着脱可能に装着するバンド体１３として形成された場合の機能性改質具１１の一例を示す全体斜視図である。
【００４２】
同図によれば、バンド体１３は、装着者の手首等の太さとの関係で定まる適宜の内径と、幅が１．５〜１．７ｃｍ前後のバンド本体部１４と、該バンド本体部１４の適宜位置の表面１４ａ側に機能性改善効果をグレード別に示すグレード表示部１５とを備えた例えば黒地や赤地などの適宜の色地のもとでその全体が形成されている。なお、バンド体１３は、その装着部位が手首や腕や足首であれば、それぞれに適合する内径を付与してブレスレット、アームレット、アンクルレットとして形成することができる。
【００４３】
また、グレード表示部１５を間に挟むバンド本体部１４の左右の領域には、その周方向を長さ方向とする４．５ｃｍ（横）×０．５ｃｍ（幅）程度の切欠き溝１６が左右一対となって形成されている。これらの各切欠き溝１６は、デザイン的な効果を発揮させることができるほか、手首等に装着する際により円滑に引き伸ばして拡径したり、装着時の蒸れを緩和する外気接触領域として機能させるなどの効果を発揮させることもできる。
【００４４】
さらに、バンド本体部１４は、先述のとおり装着者の手首等の太さとの関係でその周周りの長さが決まることになり、例えば手首に装着する場合には１６ｃｍのＳサイズと、１８ｃｍのＭサイズと、１９．５ｃｍのＬサイズとの３種類とするなど、所望に応じ得る各種サイズの周周り長さを付与して形成することができる。
【００４５】
また、バンド本体部１４は、装着時に例えば手のひら側に位置する部位が２ｍｍ前後と最も薄く、例えばグレード表示部１５が位置する手の甲側に位置する部位が３ｍｍ前後と最も厚くなる厚さが付与され形成されており、手の甲側の最も厚い部位を利用して長さ３ｃｍ×幅１．５ｃｍ前後の面サイズを有するグレード表示部１５が設けられることになる。
【００４６】
そして、該グレード表示部１５には、無限大マーク１７が表示されており、該無限大マーク１７の面領域に「ゴールド」と「シルバー」とのいずれかの色彩を付すことで、ヒマラヤ岩塩（紅塩）の粉粒体の混入量が多いもの（「ゴールド」で例えば５００ｍｇ）と、少ないもの（「シルバー」で例えば２５０ｍｇ）との別を目視確認することができるようになっている。
【００４７】
図２は、手首に着脱可能に装着するバンド体１３として形成された場合の機能性改質具１１の他例を示す全体斜視図であり、この場合におけるバンド体１３には、グレード表示部１５における無限大マーク１７中に図示しない専用読み取り機による読み取りが可能な必要データを保持させてなるマイクロチップ１８を具備させた例が示されている。
【００４８】
図３は、成形加工体１２が着衣のポケットに入れたり手で握ったりしての持ち運びが自在な携帯用カード体２３として形成された場合の機能性改質具１１の一例を示す全体斜視図である。
【００４９】
同図によれば、その厚さが０．５〜２．５ｍｍ程度、好ましくは１．５ｍｍの携帯用カード体２３は、一般に流通している各種カードの面サイズと同等の５４ｍｍ（縦）×８５ｍｍ（横）の面サイズを備えたカード本体部２４と、該カード本体部２４の表面２４ａ側に機能性改善効果をグレード別に示すために設けられたグレード表示部２５とを備えてその全体が形成されている。このため、携帯用カード体２３は、紛失しないように財布や定期入れ等に収納して持ち運ぶこともできることになる。
【００５０】
この例におけるグレード表示部２５には、無限大マーク２６が表示されており、該無限大マーク２６の面領域に「ゴールド」、「シルバー」、「ホワイト」のいずれかの色彩を付すことで、ヒマラヤ岩塩（紅塩）の粉粒体の混入量が最大のもの（「ゴールド」で例えば３５０ｍｇ）と、中間のものもの（「シルバー」で例えば２５０ｍｇ）と、最小のもの（「ホワイト」で例えば１５０ｍｇ）との別を目視確認することができるようになっている。
【００５１】
図４は、成形加工体１２が人体以外の改質対象の適宜部位に貼り付ける貼着体３３として形成された場合の機能性改質具１１の一例を示す全体斜視図である。
【００５２】
同図によれば、その厚さが０．５〜２．５ｍｍ程度、好ましくは１．５ｍｍの貼着体３３は、改質対象部材の貼着部位との関係で定まる適宜の面サイズを備えて形成されている。該貼着体３３の場合には、１０ｇにつきヒマラヤ岩塩（紅塩）の粉粒体が２〜２．５ｇ前後混入されている。
【００５３】
この場合、貼着体３３は、人体以外の改質対象に貼り付けて使用されるものであることから、図１および図２に示すバンド体１３や図３に示す携帯用カード体２３とは異なり、グレード表示部を設けることなく改質対象の種別や部位の別に応じてマラヤ岩塩（紅塩）の粉粒体の混入量も適宜増減されて形成されることになる。また、貼着体３３は、その形状も改質対象側の具体的な形状に応じて、図１および図２に示すバンド体１３のようなバンド形状や、図３に示す携帯用カード体２３のようなカード形状など、改質対象側の形状に対応させて適宜の形状を付与して形成することができる。
【００５４】
次に、上記構成に係る本発明の作用・効果について、図１に示すバンド体１３を手首が比較的太い装着者が使用する場合を例に説明すれば、まず、バンド体１３のグレード表示部１５をみて自分に好適な量の粉粒体が混入されているバンド体１３のなかから、好みの色地で、かつ、その周周り長さが例えば１９．５ｃｍのＬサイズのものを選ぶ。
【００５５】
選ばれたバンド体１３は、ハンド本体部１４を引き伸ばして拡径させながら装着者の右手首か左手首に単に装着するだけで、例えばバランス能力などの機能性を劇的に改善させることができる。しかも、ハンド本体部１４が一対の切欠き溝１６を備えて形成されている場合には、これらの切欠き溝１６により細幅化されている部位を利用して簡単に引き伸ばすことができるので、高齢者であってもその装着作業をより簡単に行うことができる。
【００５６】
図６および図７は、バンド体１３を手首に装着して行ったバランス感覚の体感試験の実施状況を示す説明図である。これらのうち、図６は、両腕２，３を水平状態とし、かつ、左足４を持ち上げた片足立ち状態を維持させた被験者１に対し、関係他者５が左腕２を下方に押し下げてバランスを崩そうとしている状態を、図７は、両腕２，３を後ろ側に回して手を組んでいる被験者１に対し、関係他者５が手を組んでいる部分を下方へと押し下げてバランスを崩そうとしている状態をそれぞれ示す。なお、いずれの場合も、被験者１は、関係他者５による押し下げ方向への負荷荷重に対し押し下げられないように耐える方向の力を働かせるものとする。
【００５７】
このとき、バンド体１３を装着していない被験者１の場合には、図６に示す状態のもとで比較的簡単にバランスを崩して横に倒れてしまうのに対し、バンド体１３を装着した同じ被験者１の場合には、身体に力が入りなかなかバランスを崩さずにその姿勢を維持し続けることができるので、バンド体１３を装着した際のバランス感覚の向上を実感することができることになる。
【００５８】
また、機能性改質具１１が携帯用カード体２３である場合は、そのグレード表示部２５をみて自分に好適な量の粉粒体が混入されている携帯用カード体２３を選択することができる。
【００５９】
選ばれた携帯用カード体２３は、着衣の適宜のポケットや財布等に入れたり、単に把持して持ち歩いたりすることで、バンド体１３と同様にバランス感覚等を劇的に改善させることができる。
【００６０】
一方、機能性改質具１１が貼着体３３である場合は、改質対象である自動車のガソリンなどの流体や車載ステレオの音波のほか、照明等の電気器具の電流に影響を与えることができる適宜部位に該貼着体３３を単に貼り付けるだけで、燃費の改善や、音質の改善、節電など、それぞれの機能性の改質に有効に寄与させることができる。
【００６１】
表４は、グレード表示部１５がゴールドタイプのバンド体１３を装着する前の状態と、装着した後の状態との別に、被験者１０人に対し図６に示す姿勢で腕からホールド機能付きデジタル手秤  ２０ｋｇ（シンワ測定株式会社販売：品番：７０１０９）をぶら下げた状態のもとで、引っ張り負荷をかける片足立ち負荷テストを実際に行った際にホールドされた実測値（ｋｇ）を示したものである。
【００６２】
【表４】
2016073628.tif 000006
【００６３】
上記表４によれば、バンド体１３を装着した後の被験者は、年齢、性別に関係なく、全ての人がバンド体１３未装着の状態よりも負荷加重が増しても片足立ちで耐えられており、このことからもバランス感覚が改善されていることを知ることができる。因みに、被験者の耐えられる負荷加重の平均値をとってみると、未装着時の状態を１００とすると、装着時の状態が１６０強ととなっており、装着時には、耐えられる負荷荷重が６０％強も増大していることが判明する。
【００６４】
一方、図８は、ヒマラヤ岩塩（紅塩）の粉粒体が練り込まれている真性バンド体とヒマラヤ岩塩（紅塩）の粉粒体が練り込まれていな疑似バンド体とを用意し、被験者２０名全員の未装着時における図６に示すような姿勢で「閉眼片足立ち」した際のバランス持続時間の平均測定値と、１１名には事前に知らせることなく真性バンド体を装着してもらい、９名にはこれも事前に知らせることなく疑似バンド体を装着してもらって、図６に示すような姿勢で「閉眼片足立ち」した際のバランス持続時間の平均測定値とを示すグラフ図である。なお、使用した計測器具は、表４の計測に用いたデジタル手秤と同じである。
【００６５】
同図によれば、装着前は、被験者２０名の「閉眼片足立ち」のバランス持続時間は、いずれも１３秒前後であった。これに対し、真性バンド体を装着した後の被験者１１名の「閉眼片足立ち」のバランス持続時間は、２７秒前後となっているのに対し、疑似バンド体を装着した後の被験者９名の「閉眼片足立ち」のバランス持続時間は、１６秒前後であった。つまり、真性バンド体を装着した後の被験者は、疑似バンド体を装着した後の被験者よりも１０秒以上長く「閉眼片足立ち」ができたことになり、このことからも本発明が奏するバランス感覚の改善効果を確認することができた。
【００６６】
また、図９は、ヒマラヤ岩塩（紅塩）の粉粒体が練り込まれている真性バンド体と、ヒマラヤ岩塩（紅塩）の粉粒体が練り込まれていな疑似バンド体とを用意しておき、被験者２０名全員の未装着時における図６に示すような姿勢で「開眼片足立ち」した際にバランスを失うに至った際の負荷荷重の平均値と、１１名には事前に知らせることなく真性バンド体を装着してもらい、９名にはこれも事前に知らせることなく疑似バンド体を装着してもらって、図６に示すような姿勢で「開眼片足立ち」した際にバランスを失うに至った際の負荷荷重の平均値とを示すグラフ図である。なお、使用した計測器具は、表４の計測に用いたデジタル手秤と同じである。
【００６７】
同図によれば、装着前の被験者２０名の「開眼片足立ち」の負荷加重は、４〜４．５ｋｇであった。これに対し、真性バンド体を装着した後の被験者１１名の「開眼片足立ち」の負荷加重は、７．６ｋｇ前後となっているのに対し、疑似バンド体を装着した後の被験者９名の「開眼片足立ち」の負荷花樹は、５．０ｋｇ前後であった。つまり、真性バンド体を装着した後の被験者は、疑似バンド体を装着した後の被験者よりも重い負荷重量に耐えて「閉眼片足立ち」ができたことになり、このことからも本発明が奏するバランス感覚の改善効果を確認することができた。
【００６８】
一方、図１０〜図１２は、長野県佐久市新子田１９３４所在のマイクロストーン株式会社製の体幹２点歩行動揺計（ＭＶＰ−ＷＳ２−Ｓ）を用い、被験者であるＳ氏の背面側における胸椎付近と仙骨付近との２カ所に８チャンネル小型無線モーションレコーダ（計測器：ＭＶＰ−ＲＦ８シリーズ）を取り付けてデータ計測を行い、その解析結果をグラフ化して示した図であり、そのうちの図１０は、本発明品を装着していないＳ氏のデータ解析結果を、図１１は、本発明品に似せたダミー品を装着したＳ氏のデータ解析結果を、図１２は、本発明品を装着したＳ氏のデータ解析結果をそれぞれ示す。また、これら図１０〜図１２中における（ａ）は胸椎付近が破線で、仙骨付近が実線でそれぞれ示されている上下動の軌跡を、（ｂ）は胸椎付近が破線で、仙骨付近が実線でそれぞれ示されている上方から見下ろした軌跡を、（ｃ）は胸椎付近が破線で、仙骨付近が実線でそれぞれ示されている後方から見た軌跡をそれぞれ示す。なお、図１０および図１１において２点間を結んでいる太い線は、胸椎付近と仙骨付近との間の位置関係を示す。
【００６９】
そして、本発明品を装着していない図１０や本発明品に似せたダミー品を装着した図１１と、本発明品を装着した図１２とを比較すると、本発明品を装着することにより左右幅のぶれが縮小していること判明する。つまり、本発明品は、これを装着することにより歩行時における身体の左右の振れ幅を小さくしてバランスよく歩行できることが明らかとなり、このことは本発明品が歩行時における安定性の向上に寄与していることを示すひとつの証左となるものである。
【００７０】
表５は、本発明品で用いているヒマラヤ岩塩（紅塩）とは無関係なアンデス岩塩５００ｍｇを５０メッシュを通過しない程度の粒径の紛状にしてビニール袋に入れて試料Ａとし、本発明品で用いているヒマラヤ岩塩（紅塩）を粒径２ｍｍ前後の粒状とした５００ｍｇをビニール袋に入れて試料Ｂとし、本発明品で用いているヒマラヤ岩塩（紅塩）を５０メッシュを通過しない程度の粒径の粉状とした５００ｍｇをビニール袋に入れて試料Ｃとし、本発明品で用いているヒマラヤ岩塩（紅塩）を５０メッシュパスの粒径の粉状とした５００ｍｇをビニール袋に入れて試料Ｄとし、計１２名の各被験者に対し試料Ａ〜Ｄを試料の別が分からないブラインドテスト手法のもとでランダムに所持してもらい、その際に得られた計測データである。計測方法は、利き足を地面に着けて図６に示すように片足立ちしてもらい、水平状の両腕におけるいずれか一方の腕を引っ張りゲージで真下に引っ張り、バランスを崩すに至るリミット数値（ｋｇ）を計測することで行った。なお、使用した計測器具は、表４の計測に用いたデジタル手秤と同じである。
【００７１】
【表５】
2016073628.tif 000007
【００７２】
上記表５によれば、老若男女、年齢を問わず、いずれの被験者も試料Ｄを所持した際における引っ張り負荷に対する抵抗力が最も大きくなることが明らかとなり、本発明品で用いているヒマラヤ岩塩（紅塩）をより粒径の小さな微粉状とすることで機能性改質効果を高められることが判明する。
【００７３】
以上にみられたような機能性改質効果は、成型加工体１２に含まれるヒマラヤ岩塩（紅塩）の粉粒体の酸化還元電位（ＯＲＰ）が低いこと、つまり還元力が強いことに由来しているものと推測される。
【００７４】
すなわち、一般に、酸化還元電位は、４００ｍＶ以上が酸化領域であり、３００ｍＶ以下が還元領域であり、４００〜３００ｍＶ前後がその境界領域であるとされている。
【００７５】
これに対し、ヒマラヤ岩塩（紅塩）の粉粒体は、ＯＲＰメーターで測定すると酸化還元電位が−２００ｍＶ〜５００ｍＶという非常に低いマイナス値を示すことから、とりわけ還元力の強いことが判明する。
【００７６】
ところで、電気を帯びた存在である人間は、脳から特定周波数帯の電気信号が神経系に伝わっている。また、この世における三次元的な存在は、その全てがある周波数帯のもとで振動している。したがって、人間は、自らの電気信号が持っている周波数帯に対し干渉力の強い物体を身につけた際に影響を受けることになる。本発明に係るバンド体等の成型加工体１２は、酸化還元電位が−２００ｍＶ〜５００ｍＶという非常に低いマイナス値を示す上記した干渉力の強い物体であり、これが発する周波数帯が例えば神経系を構成する神経細胞や流体としての血液に影響を及ぼすことで、バランス感覚の改善を図ることができ、その結果、肩こり・疲労感・腰痛の緩和、披露のなどの機能性の改質効果を奏しているものと推測される。
【００７７】
このような人体の機能性に対する改質効果は、干渉力の強い物体としての本発明に係る携帯用カード体を持たせた患者のうち、脳と関係する小脳性失調の患者の場合、それまでは立位負荷時にふらふらしていたのにシャキッと立っていることができるのに対し、脳とは無関係な脊髄性失調や糖尿病性神経症の患者の場合、立位負荷時の改善効果がみられなかったことからみても、神経系を構成する神経細胞や流体としての血液との関係で顕著に現れるものであることが判明する。つまり、人体の脳と深い関わりがある神経系が発する周波数に対し本発明に係る携帯用カード体が効果を及ぼし得るのに対し、脳とは無関係な障害に対しては携帯用カード体がその効果を及ぼし得ないことが判明する。
【００７８】
なお、成型加工体１２は、外径２〜７ｍｍの線状体４３として形成することもでき、この場合、線状体４３の外径が２〜４ｍｍ程度であればシリコーンチューブで形成されている中空ネックレス部材に挿入してネックレスとしたり、外径５〜７ｍｍ程度であればそれ自体をネックレスとして首回りに装着使用し、その際に得られる優れたバランス感覚のもとで各種のスポーツに興じることができる。また、線状体４３には、機能性改質効果をグレード別に示すグレード表示部を例えば表面の色彩を異にするなどして具備させることもできる。
【産業上の利用可能性】
【００７９】
本発明に係る機能性改質具は、人体以外の各種機器、例えば自動車が備えるエンジン、ショックアブソーバー、エアコン、音響装置の性能向上、照明器具等の節電など、特定の電気信号の周波数帯をもつ各種機器を改質対象とし、それぞれの機能に必須なガソリン等の液体、ガス等の気体、音波を含む種々の流体の周波数帯に干渉力の強い作用を及ぼすことで、その用途に応じた特有の機能を改質・改善する作用があることから、産業分野を問わず汎用性に富む機能性改質具としての用途に供することができる。
【符号の説明】
【００８０】
１１  機能性改質具
１２  成型加工体
１３  バンド体
１４  バンド本体部
１４ａ  表面
１５  グレード表示部
１６  切欠き溝
１７  無限大マーク
１８  マイクロチップ
２３  携帯用カード体
２４  カード本体部
２４ａ  表面
２５  グレード表示部
２６  無限大マーク
３３  貼着体
４３  線状体
【図１】
2016073628.tif 000008
【図２】
2016073628.tif 000009
【図３】
2016073628.tif 000010
【図４】
2016073628.tif 000011
【図５】
2016073628.tif 000012
【図６】
2016073628.tif 000013
【図７】
2016073628.tif 000014
【図８】
2016073628.tif 000015
【図９】
2016073628.tif 000016
【図１０】
2016073628.tif 000017
【図１１】
2016073628.tif 000018
【図１２】
2016073628.tif 000019